(57)【特許請求の範囲】
【請求項１】
着用状態で互いに交差する上下方向と横方向とを有し、前ウエストパネルと後ウエストパネルとクロッチパネルとによって前ウエスト域と後ウエスト域と前記前ウエスト域および前記後ウエスト域間に位置するクロッチ域とが形成されていて、これら前記各域がおむつ着用者の肌と対向する肌対向面と、着衣と対向する着衣対向面とを有し、前記クロッチパネルにおける体液吸収性の芯材を含む吸収体が前記前ウエスト域および前記後ウエスト域に延在している使い捨ての体液吸収性着用物品において、
前記前ウエスト域および前記後ウエスト域のうちの少なくとも一方のウエスト域は、前記肌対向面の一部を形成していて前記横方向の中央部分が前記横方向へ弾性的に収縮する弾性バンド部を有し、
前記少なくとも一方のウエスト域において、前記弾性バンド部の前記中央部分における前記横方向への弾性的収縮量は、前記中央部分の厚さ方向において前記中央部分に接合することなく対向している部位の前記横方向への弾性的収縮量よりも大きく、
前記少なくとも一方のウエスト域における前記芯材には、前記弾性バンド部と交差する方向へ延びていて前記芯材の前記横方向における湾曲を容易にする変形誘導部が形成されていることを特徴とする着用物品。
【請求項２】
前記弾性バンド部は、前記少なくとも一方のウエスト域に対して、前記横方向における両側部分が接合状態にあるとともに、前記中央部分の少なくとも下方部位が非接合の状態にある弾性シートによって形成されている請求項１記載の着用物品。
【請求項３】
少なくとも一方のウエストパネルは、前記着衣対向面を形成する外面シートと、前記肌対向面を形成する内面シートと、前記外面シートと前記内面シートとの間にあって前記横方向ヘ伸長された状態にある弾性体とを有している請求項１または２記載の着用物品。
【請求項４】
前記少なくとも一方のウエスト域には、前記中央部分と対向する部位に非弾性域が形成されている請求項３記載の着用物品。
【請求項５】
前記少なくとも一方のウエスト域は、前記一方のウエスト域の頂縁に沿って延びていて前記横方向へ弾性的に収縮可能なウエスト弾性域を有し、前記ウエスト弾性域の下方に位置する部分がＺ字型の折り畳み部を形成するように、前記上下方向において折り重ねられており、
前記Ｚ字型の折り畳み部では、前記横方向の両側に位置する部分が折り重ねられた状態で互いに接合する一方、前記両側の間の部分が非接合状態にあって、前記ウエスト弾性域の一部分が前記弾性バンド部を形成し、
前記Ｚ字型の折り畳み部は、前記ウエスト弾性域の一部分によって形成されていて、前記横方向へ弾性的に伸長、収縮可能な内側部位と、前記ウエストパネルのうちで弾性体を含むことのない非弾性域によって形成されている外側部位と、前記内側部位と前記外側部位との間に位置する中間部位と、前記内側部位と前記中間部位との間に位置する第１折曲部位と、前記中間部位と前記外側部位との間に位置する第２折曲部位とを有している請求項１記載の着用物品。
【請求項６】
前記変形誘導部が前記おむつの平面視において前記弾性バンド部と重なる位置にある請求項１−５のいずれかに記載の着用物品。
【請求項７】
前記変形誘導部が前記おむつの平面視において前記弾性バンド部と重なることのない位置にある請求項１−５のいずれかに記載の着用物品。
【請求項８】
前記弾性バンド部が弾性糸を含む不織布で形成されていて、前記不織布が前記弾性バンド部の少なくとも前記中央部分において前記横方向へ弾性的に伸長された状態にある請求項１−７のいずれかに記載の着用物品。
【請求項９】
前記弾性バンド部は、前記横方向へ直状に延びる糸状および帯状のいずれかの弾性体が取り付けられた不織布を有している請求項１−７のいずれかに記載の着用物品。
【請求項１０】
前記少なくとも一方のウエスト域には、前記横方向へ直状に延びる糸状および帯状のいずれかである複数条の弾性体が前記上下方向において並列した状態で配置されていて、前記複数条の弾性体には、前記おむつの前記横方向の寸法を二等分する縦中心線に対向する内端部を有しているものが含まれている請求項１−９のいずれかに記載の着用物品。
【請求項１１】
前記複数条の弾性体は、前記上下方向の最下部に位置している１条の前記弾性体の前記内端部と前記縦中心線とが離隔する寸法が、前記１条の前記弾性体よりも上方に位置する前記弾性体の前記内端部と前記縦中心線とが離隔する寸法よりも小さいものを含む請求項１０記載の着用物品。
【請求項１２】
前記変形誘導部は、前記クロッチパネルの前記芯材に形成されていて前記上下方向へ延びる少なくとも１条のスリットおよび溝部のいずれかである請求項１−１１のいずれかに記載の着用物品。
【請求項１３】
前記スリットは、前記縦中心線上に位置するものと、前記縦中心線に関して対称に形成されたものとを含んでいる請求項１２記載の着用物品。
【請求項１４】
前記スリットは、前記上下方向における両端部が前記芯材の前端縁と前記着用物品の横中心線との間および前記芯材の後端縁と前記横中心線との間のうちの少なくとも一方の間に形成されている請求項１２または１３記載の着用物品。
【請求項１５】
前記芯材では、前記横方向で前記変形誘導部に隣接する部位と前記変形誘導部との間において、前記芯材の厚さおよび密度のうちの少なくとも一方が異なっている請求項１−１４のいずれかに記載の着用物品。
【発明の詳細な説明】
【技術分野】
【０００１】
本発明は、使い捨てのおむつを一例とする使い捨ての体液吸収性着用物品に関する。
【背景技術】
【０００２】
従来、使い捨てのおむつを一例とする使い捨ての体液吸収性着用物品であって、前ウエスト域と後ウエスト域と前記前後ウエスト域間に位置するクロッチ域とが形成されていて、体液吸収性パネルが前記クロッチ域と前記前後ウエスト域とに延在しており、弾性部材を収縮させることによって、前後ウエスト域およびクロッチ域のうちのいずれかを着用物品の外側に向かって湾曲させるものは、公知である。例えば、特許文献１に開示の吸収性物品の本体は、ウエスト部とクロッチ部とを有する縦長のもので、縦方向へ延びる両側部分および横方向へ延びる両端部分には弾性部材を取り付けられた立体ガードが設けられている。本体は、立体ガードの弾性部材の収縮によってカップ状に湾曲する。
【先行技術文献】
【特許文献】
【０００３】
【特許文献１】特開２０００−２８８０１６号公報
【発明の概要】
【発明が解決しようとする課題】
【０００４】
立体ガードを使用して吸収性物品の本体を湾曲させる従来技術では、立体ガードが着用者の肌に密着する一方、本体の全体はカップ状に湾曲して着用者の肌から離隔しているから、着用状態にあるときの本体は、カップとしての形状が一定のものになり難いということがある。また、そのような着用物品は、嵩張ったものに見えて、外観上好ましくないということもある。カップ形状になった本体の内側では、排泄物が流動して、着用者の肌を広い範囲において汚すという場合もある。
【０００５】
本発明が課題とするところは、使い捨てのおむつを一例とする体液吸収性着用物品における前後ウエスト域とクロッチ域とのうちの特定の部位が外側へ突出するように湾曲して、着用物品の内側に排泄物を収容可能な空間を作ることができるように改良された使い捨ての体液吸収性着用物品の提供である。
【課題を解決するための手段】
【０００６】
前記課題を解決するための本発明が対象とするのは、着用状態で互いに交差する上下方向と横方向とを有し、前ウエストパネルと後ウエストパネルとクロッチパネルとによって前ウエスト域と後ウエスト域と前記前ウエスト域および前記後ウエスト域間に位置するクロッチ域とが形成されていて、これら前記各域がおむつ着用者の肌と対向する肌対向面と、着衣と対向する着衣対向面とを有し、前記クロッチパネルにおける体液吸収性の芯材を含む吸収体が前記前ウエスト域および前記後ウエスト域に延在している使い捨ての体液吸収性着用物品である。
【０００７】
本発明が特徴とするところは、次のとおりである。前記前ウエスト域および前記後ウエスト域のうちの少なくとも一方のウエスト域は、前記肌対向面の一部を形成していて前記横方向の中央部分が前記横方向へ弾性的に収縮する弾性バンド部を有し、前記少なくとも一方のウエスト域において、前記弾性バンド部の前記中央部分における前記横方向への弾性的収縮量は、前記中央部分の厚さ方向において前記中央部分に接合することなく対向している部位の前記横方向への弾性的収縮量よりも大きく、前記少なくとも一方のウエスト域における前記芯材には、前記弾性バンド部と交差する方向へ延びていて前記芯材の前記横方向における湾曲を容易にする変形誘導部が形成されている。
【０００８】
本発明には、少なくとも以下の実施態様がある。
（１）前記弾性バンド部は、前記少なくとも一方のウエスト域に対して、前記横方向における両側部分が接合状態にあるとともに、前記中央部分の少なくとも下方部位が非接合の状態にある弾性シートによって形成されている。
（２）少なくとも一方のウエストパネルは、前記着衣対向面を形成する外面シートと、前記肌対向面を形成する内面シートと、前記外面シートと前記内面シートとの間にあって前記横方向ヘ伸長された状態にある弾性体とを有している
（３）前記少なくとも一方のウエスト域には、前記中央部分と対向する部位に非弾性域が形成されている。
（４）前記少なくとも一方のウエスト域は、前記一方のウエスト域の頂縁に沿って延びていて前記横方向へ弾性的に収縮可能なウエスト弾性域を有し、前記ウエスト弾性域の下方に位置する部分がＺ字型の折り畳み部を形成するように、前記上下方向において折り重ねられており、前記Ｚ字型の折り畳み部では、前記横方向の両側に位置する部分が折り重ねられた状態で互いに接合する一方、前記両側の間の部分が非接合状態にあって、前記ウエスト弾性域の一部分が前記弾性バンド部を形成し、前記Ｚ字型の折り畳み部は、前記ウエスト弾性域の一部分によって形成されていて、前記横方向へ弾性的に伸長、収縮可能な内側部位と、前記ウエストパネルのうちで弾性体を含むことのない非弾性域によって形成されている外側部位と、前記内側部位と前記外側部位との間に位置する中間部位と、前記内側部位と前記中間部位との間に位置する第１折曲部位と、前記中間部位と前記外側部位との間に位置する第２折曲部位とを有している。
（５）前記変形誘導部が前記おむつの平面視において前記弾性バンド部と重なる位置にある。
（６）前記変形誘導部が前記おむつの平面視において前記弾性バンド部と重なることのない位置にある。
（７）前記弾性バンド部が弾性糸を含む不織布で形成されていて、該不織布が前記弾性バンド部の少なくとも前記中央部分において前記横方向へ弾性的に伸長された状態にある。
（８）前記弾性バンド部は、伸長状態で前記横方向へ直状に延びる糸状および帯状のいずれかの弾性体が取り付けられた不織布で形成されている。
（９）前記少なくとも一方のウエスト域には、伸長状態で前記横方向へ直状に延びる糸状および帯状のいずれかである複数条の弾性体が前記上下方向において並列した状態で取り付けられていて、前記複数条の弾性体には、前記おむつの前記横方向の寸法を二等分する縦中心線に対向する内端部を有しているものが含まれている。
（１０）前記複数条の弾性体は、前記上下方向の最下部に位置している１条の前記弾性体の前記内端部と前記縦中心線とが離隔する寸法が、前記１条の前記弾性体よりも上方に位置する前記弾性体の前記内端部と前記縦中心線とが離隔する寸法よりも小さいものを含む。
（１１）前記変形誘導部は、前記クロッチパネルの前記芯材に形成されていて前記上下方向へ延びる少なくとも１条のスリットおよび溝部のいずれかである。
（１２）前記スリットは、前記着用物品の前記横方向の寸法を二等分する縦中心線上に位置するものと、前記縦中心線に関して対称に形成されたものとを含んでいる。
（１３）前記スリットは、前記上下方向における両端部が前記芯材の前端縁と前記着用物品の横中心線との間および前記芯材の後端縁と前記横中心線との間のうちの少なくとも一方の間に形成されている。
（１４）前記芯材では、前記横方向で前記変形誘導部に隣接する部位と前記変形誘導部との間において、前記芯材の厚さおよび密度のうちの少なくとも一方が異なっている。
【発明の効果】
【０００９】
本発明に係る使い捨ての体液吸収性着用物品では、弾性バンド部が横方向へ弾性的に収縮すると、前後ウエスト域の少なくとも一方は、変形誘導部が形成されている部分の芯材とともに着用物品の外側に向かって凸となるように湾曲し、その変形誘導部が形成されている部分と着用者の肌との間には、排泄物の流入可能な空間を形成することができる。
【図面の簡単な説明】
【００１０】
以下の図面は、本発明の実施形態を示す他に、選択的に実施することのできる構成および組み合わせて実施することのできる構成を含んでいる。
【図１】（ａ）は本発明に係る使い捨ての体液吸収性着用物品であるおむつが着用状態にあるときの正面図、（ｂ）はそのおむつの背面図。
【図２】図１のおむつのシーム域を剥離し、各弾性体を縦方向及び横方向へ伸長させて得られる伸展状態のおむつの部分破断平面図。
【図３】伸展状態のおむつの分解組立図。
【図４】図２の前ウエストパネルの拡大図。
【図５】（ａ）は図４のＶ−Ｖ線切断面を示す図。（ｂ）は（ａ）に示された部分が着用状態あるときの形状を模式的に示す図。
【図６】図２の後ウエストパネルの部分破断拡大図。
【図７】（ａ）は図６のＶＩＩ−ＶＩＩ線切断面を示す図。（ｂ）は（ａ）に示された部分が着用状態にあるときの形状を模式的に示す図。
【図８】実施形態の一例を示す図３と同様な図。
【図９】実施形態の他の一例を示す図２と同様な図。
【図１０】（ａ）は実施形態の他の一例を示す使い捨てのおむつの背面図。（ｂ）はそのおむつが着用状態にあるときの背面図。
【図１１】（ａ）は図１０の（ａ）におけるＸＩａ−ＸＩａ線切断面を示す図。（ｂ）は図１０の（ｂ）におけるＸＩｂ−ＸＩｂ線切断面を示す図。
【図１２】図１０の（ｂ）のＸＩＩ−ＸＩＩ線切断面を示す図。
【発明を実施するための形態】
【００１１】
本発明に係る下記の各実施の形態は、発明の不可欠な構成ばかりではなく、選択的に採用できる構成及び好ましい構成を含む。
【００１２】
図１は、本発明に係る体液吸収性着用物品の一例であるプルオンタイプの使い捨てのおむつ１０が着用状態にあるときの形状を例示する図である。図１の（ａ）はおむつ１０の正面図であり、（ｂ）は背面図である。ただし、これらの図において、着用者の図示は省略されている。図１において、おむつ１０は、縦方向Ｙと、縦方向Ｙに交差する横方向Ｘと、横方向Ｘの寸法を２等分して縦方向Ｙへ延びる縦中心線Ｐとを有し、縦中心線Ｐに関して対称に形成されている。本発明において、縦方向Ｙは上下方向ということがある。おむつ１０はまた、前ウエスト域１１を形成する前ウエストパネル２０と、後ウエスト域１２を形成する後ウエストパネル３０と、クロッチ域１３を形成するクロッチパネル４０とを有する。前後ウエストパネル２０，３０は、両側縁部どうしがシーム域１４において接合して、ウエスト開口１５を画定している。クロッチパネル４０は、前後ウエストパネル２０，３０に接合して前後ウエストパネル２０，３０とともに一対のレッグ開口１６を画定している。前後ウエストパネル２０，３０とクロッチパネル４０とは、おむつ着用者の肌に対する後記の肌対向面ＳＳ（図２参照）と、着衣に対する着衣対向面ＣＳとを有する。着衣対向面ＣＳには多数のギャザー５が形成されている。なお、本発明において、プルオンタイプの使い捨ておむつ１０とは、ウエスト開口１５及びレッグ開口１６を有し、おむつ１０を着用するときに、両脚をレッグ開口１６に挿入してからおむつ１０をウエストにまで引き上げて着用するものであることを意味している。このようなおむつ１０は、パンツ型おむつと呼ばれることもある。
【００１３】
かかる図１（ａ）のおむつ１０の前ウエストパネル２０には、縦中心線Ｐ上におむつ１０の外側に向かって膨らんだ突出部１００ａが形成されている。図１（ｂ）の後ウエストパネル３０にもまた、おむつ１０の外側に向かっての突出部１００ｂ（図６参照）が形成されている。これら突出部１００ａ、１００ｂについての説明は、後記のとおりである。
【００１４】
図２，３は、シーム域１４においての前後ウエストパネル２０，３０の接合を解いて、おむつ１０を、それに形成されていたギャザー５が消失するところまで平面的に伸展させて得られる伸展状態のおむつ１０の部分破断平面図と、伸展状態のおむつ１０の分解組立図である。図における双頭矢印Ｙは、図１における縦方向であることを意味している。
【００１５】
図２，３において、前後ウエストパネル２０，３０は、横方向Ｘへ延びる下端縁２０Ａ，３０Ａと、下端縁２０Ａ，３０Ａと対向して横方向Ｘへ延びる上端縁２０Ｂ，３０Ｂと、下端縁２０Ａと上端縁２０Ｂとの間、及び下端縁３０Ａと上端縁３０Ｂとの間において縦方向Ｙへ延びる両側縁２０Ｃと両側縁３０Ｃとを有する。上端縁２０Ｂ，３０Ｂのそれぞれは、前後ウエストパネル２０，３０それぞれの頂縁である。前ウエストパネル２０の両側縁２０Ｃのそれぞれに沿う部分と後ウエストパネル３０の両側縁３０Ｃのそれぞれに沿う部分とは、図１において合掌状に重ね合わされているとともに、縦方向Ｙへ並ぶ多数の接合スポットで形成されたシーム域１４において連結されていることによっておむつ１０の両側部となり、前後ウエストパネル２０，３０によって、ウエスト開口１５が画定されている。前ウエストパネル２０の下端縁２０Ａと後ウエストパネル３０の下端縁３０Ａとの間には、クロッチパネル４０が延びている。
【００１６】
前ウエストパネル２０は、前ウエスト域１１の着衣対向面ＣＳを形成する外面シート２１と、肌対向面ＳＳを形成する内面シート２２とを有する。内外面シート２１，２２の間には横方向Ｘへ延びる糸状又は帯状の複数条の前ウエスト弾性体２４が伸長状態で介在し、上端縁２０Ｂに沿う部分に弾性的に伸長、収縮可能な前ウエスト弾性域２５を形成している。前ウエストパネル２０ではまた、内側弾性シート４４が内面シート２２の一部分を覆うとともに、クロッチパネル４０を横断して両シーム域１４に向かって、より好ましくは両シーム域１４にまで延びている。その内側弾性シート４４は、横方向Ｘにおける少なくとも中央部分４４ｂ（図４参照）がおむつ１０の前ウエスト域１１における弾性バンド部１ａを形成している。弾性バンド部１ａは、弾性バンド部１ａにあってクロッチパネル４０における少なくとも後記の吸収体４２を横断する部分がクロッチパネル４０に対して非接合の状態にあり、横方向Ｘにおいて弾性的に伸長、収縮可能である。
【００１７】
後ウエストパネル３０は、後ウエスト域１２の着衣対向面ＣＳを形成する外面シート３１と、肌対向面ＳＳを形成する内面シート３２とを有する。外面シート３１と内面シート３２との間には、横方向Ｘへ延びる糸状または帯状の複数条の後ウエスト弾性体３４が伸長状態で介在し、後ウエストパネル３０の上端縁３０Ｂに沿う部分に弾性的に伸長、収縮可能な後ウエスト弾性域３５を形成している。後ウエストパネル３０ではまた、おむつ１０の内側において内面シート３２の一部分を覆っていて両シーム域１４に向かって、より好ましくは両シーム域１４にまで延びる内側弾性シート５５がおむつ１０の後ウエスト域１２における弾性バンド部１ｂを形成している。弾性バンド部１ｂは、本発明に係る弾性バンド部の一例であって、そのような弾性バンド部１ｂとしての内側弾性シート５５は、横方向Ｘの中央部分５５ｂのうちの少なくとも下方部位５５ｃが内側弾性シート５５の厚さ方向において下方部位５５ｃと対向している部分に対して非接合の状態にあって、横方向Ｘにおいて弾性的に伸長、収縮可能である。
【００１８】
クロッチパネル４０は、前端縁４０Ａと、後端縁４０Ｂと、前後端縁４０Ａ，４０Ｂ間に位置する両側縁４０Ｃとを有する。クロッチパネル４０では、透液性のシート、例えば透液性の繊維不織布で形成されていて肌対向面ＳＳを形成するトップシート４１ａと、着衣対向面ＣＳを形成していて好ましくは不透液性又は難透液性を有するバックシート４１ｂ（図１、図５（ａ），（ｂ）参照）との間に、体液吸収性の吸収体４２を有し、吸収体４２とバックシート４１ｂとの間にはプラスチックフィルム製の防漏シート４３（図５参照）が介在している。
【００１９】
吸収体４２は、横方向Ｘへ延びる前端縁４２Ａ及び後端縁４２Ｂと、前後端縁４２Ａ，４２Ｂ間に延びる両側縁４２Ｃとを有する。吸収体４２は、例えばフラッフパルプと高吸収性ポリマー粒子との混合物から形成される芯材４６ａと、芯材４６ａを被覆するティッシュペーパや不織布で形成された透液性のラッピングシート４６ｂとを含んでいる。芯材４６ａの両側縁４６ｃは、縦中心線Ｐに向かって凸となるように湾曲している。
【００２０】
クロッチパネル４０におけるバックシート４１ｂは、吸収体４２の両側縁４２Ｃから横方向Ｘへ延出する両側部分４５を有する。両側部分４５は、防漏シート４３の両側縁に隣接して縦方向Ｙへ延びる折曲ライン６０において縦中心線Ｐの側へ折曲されて重なり合い、上下方向Ｙの端部５１において重なり合う部分どうしがホットメルト接着剤ＨＡ２（図６参照）によって接合されている。バックシート４１ｂは、前ウエストパネル２０と後ウエストパネル３０に対して、互いに重なり合う部分がホットメルト接着剤ＨＡ３（図６参照）によって接合されている。両側部分４５はまた、脚回りフラップ４５ａとバリアカフ４８とを形成している（図１を併せて参照）。脚回りフラップ４５ａは縦方向Ｙに伸長されたレッグ弾性体４９ａを有し、バリアカフ４８は縦方向Ｙに伸長されたカフ弾性体４９ｂを有する。
【００２１】
図４は、図２における前ウエストパネル２０と、それに重なるクロッチパネル４０の一部分との拡大図である。図４において、前ウエストパネル２０は、横方向Ｘへ延びる複数条の前ウエスト弾性体２４と、前ウエスト弾性体２４の下方にあって、下端縁２０Ａに沿って直状に延びる複数条の第１補助弾性体２４Ａと、前ウエスト弾性体２４と第１補助弾性体２４Ａとの間に位置して直状に延びる第２補助弾性体２４Ｂとを含む。前ウエスト弾性体２４、第１補助弾性体２４Ａ、第２補助弾性体２４Ｂは、糸状または帯状の弾性体である。
【００２２】
前ウエストパネル２０では、複数条の前ウエスト弾性体２４がクロッチパネル４０の前端縁４０Ａよりも上方にあって、これら前ウエスト弾性体２４によって、上端縁２０Ｂに沿って横方向Ｘへ延びる前ウエスト弾性域２５が形成されている。
第１補助弾性体２４Ａは、芯材４６ａを横断することがないもので、前ウエストパネル２０の両側部に伸長状態で取り付けられて、横方向Ｘへ延びる第１補助弾性域２７を形成している。第２補助弾性体２４Ｂは、伸長状態で両シーム域１４にまで延びていて、第２補助弾性域２８を形成している。第１補助弾性域２７は、クロッチパネル４０における吸収体４２を介して横方向Ｘにおいて対向するように一対のものとして形成される弾性域であって、横方向Ｘにおいて弾性的に収縮可能である。一対の第１補助弾性域２７の間には、弾性的に収縮することのない非弾性域２９（図３を併せて参照）が形成されている。第２補助弾性域２８は、前ウエスト弾性域２５と第１補助弾性域２７との間にあって、クロッチパネル４０と交差するように延びている。第２補助弾性体２４Ｂが収縮すると、第２補助弾性域２８と、第２補助弾性域２８に重なっている部分のクロッチパネル４０とが横方向Ｘへ収縮する。前ウエスト弾性域２５と第１補助弾性域２７と第２補助弾性域２８との収縮によって、前ウエストパネル２０には多数のギャザー５（図１参照）が形成される。
【００２３】
前ウエスト弾性体２４としては、例えば、３１０−６２０ｄｔｅｘを有するスパンデックスを伸長倍率が２．２−２．９倍となるように伸長して使用することができる。第１補助弾性体２４Ａとしては、３１０−６２０ｄｔｅｘを有するスパンデックスを伸長倍率が２．７−３．７倍となるように伸長して使用することができる。第２補助弾性体２４Ｂとしては、３１０−６２０ｄｔｅｘを有するスパンデックスを伸長倍率が２．２−２．９倍となるように伸長して使用することができる。
【００２４】
図４における、内側弾性シート４４は、横方向Ｘにおける両側部分４４ａが、前ウエストパネル２０の内面シート２２及びクロッチパネル４０の両側部分５２ａに対してホットメルト接着剤（図示せず）によって接合されている。内側弾性シート４４に施されている斜線４９は、そのように接合されている部分の一例を示している。内側弾性シート４４は、少なくとも中央部分４４ｂが横方向へ弾性的に伸長された状態にあって、弾性的に収縮するときには、前ウエストパネル２０とクロッチパネル４０とに突出部１００ａ（図１および後記の図５参照）を形成させる弾性バンド部１ａとして機能する。
【００２５】
このような状態にある内側弾性シート４４の中央部分４４ｂは、内側弾性シート４４の厚さ方向において中央部分４４ｂと非接合状態で対向している部位と比較すると、中央部分４４ｂにおける横方向Ｘの弾性的収縮量が、対向している部位の横方向Ｘの弾性的収縮量よりも大きい。図示例において、その対向している部位には前ウエストパネル２０とクロッチパネル４０とが含まれている。おむつ１０が乳幼児用のものである場合の一例において、中央部分４４ｂの横方向Ｘの寸法が５０−１００ｍｍの範囲にあるときに、弾性的に収縮した状態においての図４における中央部分４４ｂの横方向Ｘの寸法と、中央部分４４ｂに対向している部位の横方向Ｘの寸法との差は１５−３５ｍｍであることが好ましい。突出部１００ａは、収縮量のこのような差と後記の変形誘導部８１の存在とによって形成される。
【００２６】
内側弾性シート４４は、ウレタン弾性糸等の弾性糸を含むことによって弾性的な伸長と収縮とを繰り返すことのできる不織布や横方向Ｘへ延びる弾性体が伸長状態で取り付けられていて、弾性的に伸長と収縮とを繰り返すことのできる不織布によって作ることができる。図では、弾性糸を含む場合の内側弾性シート４４が例示されている。
【００２７】
図４においてはまた、吸収体４２の芯材４６ａに、前端縁４６ｄからクロッチ域１３に向かって延びる変形誘導部８１が形成されている。図示例の変形誘導部８１は、芯材４６ａを貫通しているスリットであって、伸展状態のおむつ１０の平面視において、前ウエストパネル２０の非弾性域２９と重なる位置にある。図示例の変形誘導部８１は、縦中心線Ｐに一致して延びる中央変形誘導部８１ａと、中央変形誘導部８１ａの横方向Ｘの両側それぞれに位置するサイド変形誘導部８１ｂ，８１ｂとによって形成されている。
【００２８】
変形誘導部８１は、上端８７ａが芯材４６ａの前端縁４６ｄにあり、その下端８６ａが、前ウエストパネル２０の下端縁２０Ａを越えている。ただし、下端８６ａは、伸展状態のおむつ１０の上下方向Ｙの寸法を二等分する横中心線Ｑ（図２参照）に届くほどまでに延びることはない。換言すれば、変形誘導部８１は、その下端８６ａが横中心線Ｑよりも上方に位置し、図１におけるクロッチ域１３の最下部には、図４に例示の変形誘導部８１の存在しない領域８９が形成されている。
【００２９】
この実施形態のおむつ１０によれば、前ウエストパネル２０は、前ウエストパネル２０の肌対向面ＳＳの一部を覆って横方向Ｘへ伸長状態で延びる内側弾性シート４４を有し、内側弾性シート４４は、横方向Ｘにおける両側部分４４ａが、サイド変形誘導部８１ｂ，８１ｂそれぞれの外側において、クロッチパネル４０の両側部分５２ａと前ウエストパネル２０の両側部分２３とに対して接合される一方、両側部分４４ａの間に位置して横方向Ｘへ弾性的に収縮可能である中央部分４４ｂが、クロッチパネル４０に重なってはいるが、サイド変形誘導部８１ｂと８１ｂとの間においてはクロッチパネル４０に対しては非接合の状態にあって、前ウエストパネル２０とクロッチパネル４０とに突出部１００ａを形成させる弾性バンド部１ａとして機能する。
【００３０】
図５において、（ａ）は図４におけるＶ―Ｖ線矢視図であり、（ｂ）はおむつ１０が着用状態にあるときの（ａ）に示された部分の状態を模式的に示す図である。このような図５の（ｂ）の図は、図１の（ａ）におけるｂ−ｂ線矢視図ということもできる。図５の（ａ）において、前ウエストパネル２０に重なっているクロッチパネル４０は、その上方部分に、変形誘導部８１が形成されていることによって、弾性バンド部１ａである内側弾性シート４４が横方向Ｘへ収縮すると、変形誘導部８１に重なっている部分の前ウエストパネル２０とともに、サイド変形誘導部８１ｂと８１ｂとの間の部分がおむつ１０の外側に向かって凸となる弧を画くように湾曲して、丸みのある突出部１００ａを形成する。それゆえ、着用者が立った姿勢から座った姿勢に変化して、腹部が前方に突出するときには、おむつ１０が突出部１００ａを形成するので、腹部は圧迫されることがない。
【００３１】
また、突出部１００ａでは、前ウエストパネル２０とそれに重なるクロッチパネル４０が着用者の身体から離れるように凸に変形する一方、内側弾性シート４４が肌Ｓに密着して肌Ｓとクロッチパネル４０との間には、排泄物を流入させることが可能な空間５９ａが形成される（図５の（ｂ）参照）。
【００３２】
図５の（ｂ）に例示の如く、突出部１００ａは、クロッチパネル４０のうちでも変形誘導部８１が存在する部分に形成される。また、着用者ごとに内側弾性シート４４の収縮量はほぼ一定になるから、着用したときに形成される突出部１００ａの位置と大きさ、およびおむつ１０の外観は一定のものになる。突出部１００ａに隣接している前ウエストパネル２０の両側部分２３（図４を併せて参照）とクロッチパネル４０の両側部分４５は、内側弾性シート４４の両側部分４４ａと一体になって、着用者の肌Ｓ（図５参照）に密着する。したがって、おむつ１０の外観は、その全体が膨らんだ感じのものになるということがなく、また空間５９ａに収容された排泄物が横方向Ｘへ広がるということもない。
【００３３】
図６は、図２におけるクロッチパネル４０のうち一部分と後ウエストパネル３０との拡大図である。図６における後ウエストパネル３０では、後ウエスト弾性体３４が、ウエスト開口１５の周縁１５ａとクロッチパネル４０の後端縁４０Ｂとの間に配置されて、周縁１５ａに沿って横方向Ｘへ延びる後ウエスト弾性域３５を形成している。後ウエストパネル３０ではまた、後ウエスト弾性体３４の下方に、複数条の第１補助弾性体３４Ａと複数条の第２補助弾性体３４Ｂとが伸長状態で配置されている。第１、第２補助弾性体３４Ａ、３４Ｂは、後ウエストパネル３０の両側それぞれに配置されていて、吸収体４２を横断することのないもので、吸収体４２を挟んで横方向Ｘにおいて対向する一対の補助弾性域３７を形成している。補助弾性域３７どうしの間には、伸長状態にある弾性体を含むことのない非弾性域３９（図３を併せて参照）が形成されている。第１、第２補助弾性体３４Ａ，３４Ｂのそれぞれは、縦中心線Ｐに対向する内端部３６Ａ，３６Ｂを有する。縦中心線Ｐから内端部３６Ａまでの寸法Ｄ１は、縦中心線Ｐから内端部３６Ｂまでの寸法Ｄ２よりも小さくなっている。したがって、横方向Ｘにおいて対向する内端部３６Ａどうしの間隔、すなわちＤ１の２倍の寸法は、内端部３６Ｂどうしの間隔、すなわちＤ２の２倍の寸法よりも小さくなっている。
【００３４】
後ウエストパネル３０における内側弾性シート５５は、ウレタン弾性糸等の弾性糸を含むことによって弾性的な伸長と収縮とを繰り返すことができる不織布や横方向Ｘへ延びる弾性体が伸長状態で接合されていて弾性的な伸長と収縮とを繰り返すことができる不織布で作られるものであって、一部分が後ウエスト弾性域３５と重なった状態にあり、横方向Ｘにおける両側部分５５ａが、内面シート３２とクロッチパネル４０の両側部分４５とに対してホットメルト接着剤ＨＡ１によって接合されている。なお、図６においては、理解を容易にするために、内側弾性シート５５のうちで内面シート３２及びクロッチパネル４０に接合されている部分は、斜線４９によって示されている。内側弾性シート５５は、横方向Ｘにおいて、両側部分５５ａと５５ａとの間に位置する中央部分５５ｂを有し、その中央部分５５ｂのうちの下方部位５５ｃがそれと重なる後ウエストパネル３０およびクロッチパネル４０に対して非接合の状態にあり、下方部位５５ｃの直上に位置する上方部位５５ｄが後ウエストパネル３０に対してホットメルト接着剤ＨＡ１によって接合されている。下方部位５５ｃは、中央部分５５ｂのうちで、後ウエスト弾性域３５よりも下方に広がる部分である。
【００３５】
図６の中央部分５５ｂはまた、下方部位５５ｃの横方向Ｘにおける弾性的収縮量が、内側弾性シート５５の厚さ方向において、下方部位５５ｃに接合することなく対向している部位の後ウエストパネル３０における弾性的収縮量よりも大きい。おむつ１０が乳幼児用のものである場合の一例において、中央部分５５ｂの横方向Ｘの寸法が５０−１００ｍｍの範囲にあるときに、弾性的に収縮した状態においての下方部位５５ｃの横方向Ｘの寸法と、下方部位ｃに対向している部位の横方向Ｘの寸法との差は、１５−３５ｍｍであることが好ましい。
【００３６】
さらに、図６の吸収体４２では、変形誘導部８２が芯材４６ａに形成されている。図示例の変形誘導部８２は、伸展状態のおむつ１０の平面視において、後ウエストパネル３０の非弾性域３９に重なっているが、内側弾性シート５５に対しては重なっている場合と、重なっていない場合とがあり、図には重なっていない場合が示されている。変形誘導部８２は、芯材４６ａに形成されたスリットであって、芯材４６ａの後端縁４６ｅから下方へ延びていて、下端部８６ｂは後ウエストパネル３０の下端縁３０Ａを越える場合と、越えない場合とがあり、図では越えない場合が示されている。下端部８６ｂはまた、横中心線Ｑ（図２参照）には届くことがなく、クロッチ域１３には横中心線Ｑと下端部８６ｂとの間には、変形誘導部８２の存在しない領域８９が形成されている。図示例の変形誘導部８２は、縦中心線Ｐ上に位置する中央変形誘導部８２ａと、中央変形誘導部８２ａの横方向Ｘの両側に位置していて、縦中心線Ｐに関して対称な一対のサイド変形誘導部８２ｂ，８２ｂとを有する。
【００３７】
図７の（ａ）は図６のＶＩＩ−ＶＩＩ線矢視図であり、（ｂ）はおむつ１０が着用状態にあるときの（ａ）に示された部分の状態を模式的に示す図であって、（ａ），（ｂ）には、内側弾性シート５５が仮想線で示されている。ＶＩＩ−ＶＩＩ線は、後ウエストパネル３０における非弾性域３９を横断している。図７の（ａ）において、内側弾性シート５５の下方部位５５ｃ（図６参照）が横方向Ｘへ収縮すると、ほぼ平坦な状態にあって弾性的には収縮することのない後ウエストパネル３０の非弾性域３９と、それに重なる部分のクロッチパネル４０とは、クロッチパネル４０における変形誘導部８２の存在によって、肌対向面ＳＳから着衣対向面ＣＳへ向かう方向へ凸となるように湾曲して、丸みのある外観の突出部１００ｂ（図１の（ｂ）を併せて参照）を形成し、着用者の肌Ｓとの間に空間５９ｂが生じる。空間５９ｂの横方向Ｘにおける外側それぞれでは、後ウエストパネル３０とクロッチパネル４０のそれぞれが、後ウエストパネル３０における後ウエスト弾性体３４と、第１補助弾性体３４Ａと、第２補助弾性体３４Ｂ（図６参照）との収縮によって、肌Ｓに当接する。クロッチパネル４０における芯材４６ａは、変形誘導部８２によって、横方向Ｘにおいて細分化されていて変形し易い状態にあるので、サイド変形誘導部８２ｂよりも外側の部分が臀部の形状に容易にフィットする。
【００３８】
着用状態にあるおむつ１０では、クロッチ域１３から後ウエスト域１２に向かって流れる軟便等の排泄物を空間５９ｂに収容することができる。このように後ウエストパネル３０とクロッチパネル４０とを変形させる内側弾性シート５５、特に内側弾性シート５５の下方部位５５ｃは、後ウエストパネル３０とクロッチパネル４０とに突出部１００ｂを形成させる弾性バンド部１ｂとなる。
【００３９】
後ウエストパネル３０とクロッチパネル４０とが重なり合う部分においての空間５９ｂの横方向Ｘにおける寸法Ｗは、横方向Ｘにおける第１補助弾性体３４Ａどうしの間の寸法（図６の寸法Ｄ１の２倍の寸法）と、第２補助弾性体３４Ｂどうしの間の寸法（図６の寸法Ｄ２の２倍の寸法）の影響を受けることがある。突出部１００ｂが形成されるときに、クロッチパネル４０は、サイド変形誘導部８２ｂ，８２ｂから急激に湾曲するのではなくて、サイド変形誘導部８２ｂと第１補助弾性体３４Ａとの間の部分およびサイド変形誘導部８２ｂと第２補助弾性体３４Ｂとの間の部分をも湾曲させることがある。また、図６の例では、寸法がＤ１＜Ｄ２という関係にある。それゆえ、図７の（ｂ）の空間５９ｂの幅方向の寸法Ｗは、後ウエストパネル３０の下端縁３０Ａから上端縁３０Ｂへ向かうにつれて、第１補助弾性体３４Ａどうしが横方向Ｘで対向している部分では、寸法Ｗが小さく、第２補助弾性体３４Ｂどうしが横方向Ｘで対向している部分では、寸法Ｗが大きくなる傾向にある。このような空間５９ｂに流入した軟便は、空間５９ｂから流出することが難しく、空間５９ｂにとどまることになる。また、その空間５９ｂを形成している突出部１００ａは、下方から上方に向かうにしたがって、寸法Ｗが徐々に大きくなるような丸みのあるものになる。
【００４０】
後ウエスト弾性体３４としては、例えば、３１０−６２０ｄｔｅｘを有するスパンデックスを伸長倍率が２．２−２．９倍となるように伸長して使用することができる。第１、第２補助弾性体３４Ａ、３４Ｂとしては、例えば３１０−６２０ｄｔｅｘを有するスパンデックスを伸長倍率が約２．８−３．８倍となるように伸長して使用することができる。
【００４１】
本発明において、変形誘導部８１，８２によって例示された変形誘導部は、変形誘導部８１だけであってもよく、変形誘導部８２だけであってもよい。また、変形誘導部は、これまでに説明した作用、効果を有する限りにおいて、形成すべき数や縦方向Ｙの寸法及び横方向Ｘの寸法を自由に設定することができる。例えば、変形誘導部８１，８２において、縦方向Ｙの寸法を１５−６０ｍｍに設定し、横方向Ｘの寸法を２−１０ｍｍに設定することができる。変形誘導部８１ａ，８１ｂのそれぞれおよび／または変形誘導部８２ａ，８２ｂのそれぞれは、図示例の如く寸法と形状とが同じである他に、寸法や形状が互いに異なっていてもよい。
【００４２】
本実施形態においての変形誘導部８１，８２は、芯材４６ａの前端縁４６ｄおよび後端縁４６ｅのそれぞれから下方へ延びるスリットであったが、前端縁４６ｄおよび／または後端縁４６ｅの下方に形成される貫通孔であってもよい。変形誘導部はまた、芯材４６ａを部分的に圧搾することによって形成される有底の溝部であってもよい。芯材４６ａに形成される溝部は、その深さ方向が肌対向面ＳＳから着衣対向面ＣＳへ向かう方向であることが好ましい。また、変形誘導部は、高吸収性ポリマー粒子やフラッフパルプ等で形成される芯材４６ａの密度を変形誘導部以外の部位における密度よりも低くするかまたは高くすることによって形成されていてもよい。これらの変形誘導部は、ラッピングシート４６ｂを含んだ状態で形成されていてもよいし、含んでいない状態で形成されていてもよい。また、本実施形態における変形誘導部８１は、前ウエストパネル２０の下端縁２０Ａを超えるものであったが、下端縁２０Ａを超えなくてもよい。
【００４３】
本実施形態における寸法Ｄ１及び寸法Ｄ２は、寸法Ｄ１とＤ２とを同じ値にしてもよいが、上述したように寸法Ｄ１を、寸法Ｄ２よりも小さくすれば、後ウエスト域１２に形成される空間５９ｂを、開口側よりも奥側を大きくすることができるため、一度収容した排泄物が、空間５９ｂの開口側に戻るのを防止することができる。
【００４４】
前ウエストパネル２０において例示の変形誘導部８１と内側弾性シート４４とは、後ウエストパネル３０における変形誘導部８２と内側弾性シート５５に代えて後ウエストパネル３０に対して適用することもできる。同様に変形誘導部８２と内側弾性シート５５を前ウエストパネル２０に対して適用することもできる。
【００４５】
変形誘導部８１と内側弾性シート４４との位置関係は、図示例のものに限定されるわけではない。例えば図２，４において、変形誘導部８１と内側弾性シート４４とは、重なり合う関係になくてもよい。また、前ウエストパネル２０における内側弾性シート４４の位置は、図示例の位置よりも上方であってもよいし、下方であってもよい。後ウエストパネル３０における図６の内側弾性シート５５は、吸収体４２と重なるように下方に延びていてもよい。
【００４６】
本発明に係る使い捨ての体液吸収性着用物品は、上述の如きものであるから、乳幼児用の使い捨てのおむつの他に、男性の失禁患者が着用するのに好適な使い捨ての体液吸収性着用物品等としても使用することができる。その場合において、図５の（ｂ）における空間５９ａは、ペニスを収容したり、吸尿パッドを収容したりするのに好適な空間となる。
【００４７】
図８は、実施形態の一例を示す図３と同様な図である。ただし、図８における前ウエストパネル２０では、図３に例示の第１補助弾性体２４Ａが芯材４６ａを横断するように横方向Ｘへ延びている。その第１補助弾性体２４Ａは、芯材４６ａを横断している部分において弾性的に伸長して収縮可能な状態にある場合と、弾性を失って収縮不能な状態にある場合とがある。前ウエストパネル２０は、いずれの場合においても、内側弾性シート４４の中央部分４４ｂに対向している部位についての横方向Ｘにおける弾性的収縮量が、内側弾性シート４４の中央部分４４ｂの横方向Ｘにおける弾性的収縮量よりも小さくなるように作られる。なお、この実施形態においては、第１補助弾性体２４Ａと第２補助弾性体２４Ｂとを区別することが不要であるから、これら第１、第２補助弾性体２４Ａ，２４Ｂを総称して単に補助弾性体と呼ぶことができる。
【００４８】
図９は、実施形態の他の一例を示す図２と同様な図である。図９の伸展状態のおむつ１０からは図１のおむつ１０と同様な外観のおむつを得ることができる。その伸展状態のおむつ１０における芯材４６ａは、変形誘導部８１の形状と位置とが図２，４における変形誘導部８１の形状と位置とに同じであるが、変形誘導部８２であるスリットの形状と位置とが図２，６における変形誘導部８２とは異なっている。
【００４９】
図９における変形誘導部８２は、縦方向Ｙにおける上下両端部８６ｂ、８６ｃが芯材４６ａの後端縁４６ｅと交差することがないもので、後端縁４６ｅと横中心線Ｑとの間に位置している。後ウエストパネル３０における内側弾性シート５５の下方部位５５ｃが収縮すると、吸収体４２は弧を描くように変形するとともに、変形誘導部８２のそれぞれが横方向Ｘにおいて幅を広げるように変形して、後ウエストパネル３０とクロッチパネル４０とは図７（ｂ）に例示の突出部１００ｂの如き横方向Ｘにおいて弧を画く突出部を形成し、その突出部の内側には空間５９ｂ（図７参照）の如き空間が生じる。図示してはいないが、本発明において、芯材４６ａの変形誘導部８１を芯材４６ａの前端縁４６ｄと交差することがないように前端縁４６ｄと横中心線Ｑとの間に位置させることができる。
【００５０】
図１０の（ａ）は、実施形態の一例である使い捨てのパンツ型おむつ１０の背面図であって、おむつ１０に使用されている後記の後ウエスト弾性体３４等の弾性体（図１１，１２参照）が横方向Ｘまたは縦方向Ｙに伸長された状態にある。図１０の（ｂ）は、（ａ）のおむつ１０が着用状態にあるときのおむつ１０の背面図である。
【００５１】
図１０の（ａ）において、おむつ１０は、前ウエストパネル２０と、後ウエストパネル３０と、クロッチパネル４０とを有する。後ウエストパネル３０には、横方向Ｘへ延びる折曲部位９２（図１１（ａ）、（ｂ）を併せて参照）が形成され、折曲部位９２からは一対の接合線１０８と、一対の折曲案内線１０９が下方へ延びている。後記の図１１において明らかなように、接合線１０８と１０８との間の部分である中央部分１０１において、後ウエストパネル３０の内側部位１０４と、外側部位１０５と、中間部位１０６とは、非接合の状態で重なり合っている。また、後記の図１２において明らかなように、接合線１０８とシーム域１４との間の部分である側方部分１０３において、内側部位１０４と、外側部位１０５と、中間部位１０６とは接合状態にある。
【００５２】
おむつ１０ではまた、中央部分１０１に折り畳み部１０２が形成されている。（ｂ）のおむつ１０では、その折り畳み部１０２がおむつ１０の外側に向かって膨らんで突出部１００ｃを形成している。突出部１００ｃは、後ウエストパネル３０に形成されている折曲案内線１０９の作用によって、形状が図示例の如くほぼ一定のものになり易い。折曲案内線１０９は、後ウエストパネル３０において必須のものではないが、形状が一定の突出部１００ｃの形成が特に容易となるように設けられている部分である。そのような部分は、例えば、後ウエストパネル３０を製作するときにその後ウエストパネル３０に予め折り癖をつけておくことによって得ることができる。
【００５３】
おむつ１０ではさらにまた、後ウエストパネル３０における側方部分１０３が、その側方部分１０３に含まれた第１，第２補助弾性体３４Ａ，３４Ｂの収縮作用によって、着用者の肌Ｓに当接する（図１１（ｂ）、図１２参照）。図１０の（ｂ）において、前ウエストパネル２０は図２−４に示した前ウエストパネル２０と同じものであり、後ウエストパネル３０は後記のとおりのものであって、これら前ウエストパネル２０と後ウエストパネル３０とは、ウエスト開口１５の周縁１５ａであるそれぞれの前後ウエストパネル２０，３０の頂縁に沿って延びる前後ウエスト弾性域２５，３５においても着用者の肌Ｓに当接する。
【００５４】
図１１の（ａ），（ｂ）は、図１０の（ａ），（ｂ）それぞれにおけるＸＩａ−ＸＩａ，ＸＩｂ−ＸＩｂ線切断面の一部を示す図である。図１１の（ａ）の後ウエストパネル３０は、図２の後ウエストパネル３０と同様に、ホットメルト接着剤（図示せず）を介して互いに接合している外面シート３１と内面シート３２とを有することに加え、外面シート３１と内面シート３２との間には、これら内外面シート３１、３２の少なくとも一方に伸長状態で接合している後ウエスト弾性体３４を有する。内面シート３２における肌対向面ＳＳには、クロッチパネル４０がホットメルト接着剤（図示せず）を介して接合している。クロッチパネル４０の吸収体４２に含まれた芯材４６ａには、図９に例示の如きクロッチパネル４０においての変形誘導部８２であるスリットが形成されている。図示のスリットは、芯材４６ａの後端縁４６ｅの下方にあって、縦方向Ｙへ延びる複数条のスリットのうちの一つである。この場合においても、スリットは、おむつ１０の前後方向においてクロッチパネル４０が後方へ突出し、横方向Ｘにおいて後ウエストパネル３０とクロッチパネル４０とが湾曲することを容易にする変形誘導部として作用する。図示例の変形誘導部８２は、芯材４６ａの厚さ方向において、後記の弾性バンド部１ｃである内側部位１０４と重なることのない位置にあるものの一例である。
【００５５】
図１１の（ａ），（ｂ）において、後ウエストパネル３０は、後ウエスト弾性域３５よりも下方の部分に対して形成される折曲部位９１と９２とにおいて折曲され、重ねられることによって、後ウエスト弾性域３５と協働してＺ字型に折り畳まれた折り畳み部１０２を形成している。すなわち、折り畳み部１０２は、後ウエスト弾性域３５の一部分によって形成されていて、横方向Ｘへ弾性的に伸長、収縮可能な内側部位１０４を含むことに加えて、後ウエストパネル３０のうちで弾性体を含むことのない非弾性域３９（図３参照）によって形成されている外側部位１０５と中間部位１０６とを含む。ただし、中間部位１０６には、図１１（ｂ）の状態にある中間部位１０６がおむつ１０の外側に向かってさらに倒伏した状態になること防ぐために、３１０−６２０ｄｔｅｘのスパンデックスを伸長倍率が１．４−１．８倍となるように伸長した補助弾性体３４Ｃを図示例の如く使用することができる。外側部位１０５は、横方向Ｘへ弾性的に伸長、収縮することのない部位である。また、中間部位１０６は、実質的な意味において横方向Ｘへ弾性的に伸長することのない部位である。
【００５６】
図１２は、図１０の（ｂ）における後ウエストパネル３０のＸＩＩ−ＸＩＩ線切断面を示す図である。ＸＩＩ−ＸＩＩ線は、後ウエストパネル３０における側方部分１０３を通る切断線である。図１２において、側方部分１０３は、上下方向Ｙの断面形状がＺ字型である折り畳み部１１２を有している。折り畳み部１１２では、内側部位１０４と外側部位１０５と中間部位１０６とが重なり合い、ホットメルト接着剤（図示せず）を介して互いに接合した状態にあって、図１１における内側部位１０４と外側部位１０５と中間部位１０６とにつながっている。また、図１２の外側部位１０５では、外面シート３１と内面シート３２との間に、横方向Ｘへ伸長状態で延びる第１、第２補助弾性体３４Ａ，３４Ｂが介在している。
【００５７】
図１０−１２の状態にあるおむつ１０の後ウエストパネル３０では、中央部分１０１における内側部位１０４が胴回り方向において弾性的に収縮すると、内側部位１０４の厚さ方向において内側部位１０４に接合することなく対向している中間部位１０６は、内側部位１０４につながる部位１０６ａでは、内側部位１０４の収縮しようとする動きに追随して収縮し、横方向Ｘの寸法が内側部位１０４と同じ程度に小さくなっても、外側部位１０５につながる部位１０６ｂでは、内側部位１０４の動きに追随することが困難で、横方向Ｘの寸法は殆ど変化することがない。また、中間部位１０６を介して内側部位１０４に対向している外側部位１０５は、折曲部位９１，９２を介して後ウエスト弾性域３５につながっていることと、高い曲げ剛性を有するクロッチパネル４０が接合されていることとによって、内側部位１０４が収縮しても、横方向Ｘの寸法は殆ど、または全く変化することがない。
【００５８】
したがって、内側部位１０４が弾性的に収縮するときの収縮量は、外側部位１０５と中間部位１０６とのうちの少なくとも外側部位１０５が収縮するときの収縮量よりも大きい。なお、これらの収縮量を比較する方法は、後記のとおりである。収縮量の大きい内側部位１０４が横方向Ｘにおいて収縮すると、弾性的収縮量の小さい外側部位１０５と中間部位１０６の部位１０６ｂとは、ウエスト開口１５の径方向においては外側に向かって突出していて、横方向Ｘにおいては湾曲している図１０の（ｂ）の突出部１００ｃを形成し、図１１の（ｂ）に示されているように、おむつ着用者の肌Ｓとの間に空間１５９を形成する。図１１の（ｂ）のおむつ１０では、内側部位１０４の収縮量が図示例よりもさらに大きくなると、突出部１００ｃは矢印Ｆで示す方向へさらに大きく膨らむ。空間１５９は、図７における空間５９ｂと同様におむつ着用者の排泄物を収容することのできる空間となる。図１１の（ｂ）においてはまた、外側部位１０５と中間部位１０６とが、下向きに開口したポケット部分１５９ｃを形成している。そのポケット部分１５９ｃは、空間１５９の一部分である。このように作用する内側部位１０４は、図１０の（ａ）におけるおむつ１０の弾性バンド部１ｃとなる部位である。
【００５９】
図１０−１２に例示のおむつ１０においても、横方向Ｘの中央部分に形成された空間１５９の両側に位置する側方部分１０３が弾性的な収縮力の作用下におむつ着用者の肌Ｓに当接する（図１０の（ｂ）、図１２参照）。それゆえ、おむつ１０では、着脱を繰り返しても後ウエストパネル３０は一定の部位が膨らんで、その部位の内側に空間１５９を形成することができる。また、横方向Ｘにおいて空間１５９に隣接している側方部分１０３では、後ウエストパネル３０が肌Ｓに当接するので、排泄物が空間１５９から横方向Ｘへ広がるという問題の発生を防ぐことができる。このおむつ１０の前ウエストパネル２０とクロッチパネル４０とには、図４に例示の態様のものを適用することができる。
【００６０】
＜収縮量の測定と比較の方法＞
本発明において、弾性バンド部１ａ，１ｂ，１ｃとその他の部位の弾性的収縮量を測定し、比較するには、次のようにする。例えば、図４における内側弾性シート４４の中央部分４４ｂと、中央部分４４ｂの厚さ方向において中央部分４４ｂと対向している部位との比較では、おむつ１０のギャザーが消失するところまでおむつ１０を横方向Ｘと上下方向Ｙとに伸長させたものである伸展状態のおむつ１０を用意する。その伸展状態のおむつ１０において、中央部分４４ｂと、中央部分４４ｂに対向している部位とのそれぞれに対して、収縮量を測定しようとする範囲においての横方向Ｘの全長を求めるための直線を記入して、各直線についての長さ（全長）Ｌ１を測定する。次に、中央部分４４ｂと中央部分４４ｂに対向している部位とのそれぞれを、伸展状態のおむつ１０から切り取って、測定用試片とする。測定用試片は、平面上に置いて、収縮させる。収縮させたそれぞれの試片は、それに直尺や指を添えて直状に保ちながら、測定用試片に記入されている直線の長さＬ２を測定する。長さＬ１と長さＬ２との差を弾性的収縮量Ｌ３として、それぞれの試片の間で弾性的収縮量Ｌ３を比較する。なお、中央部分４４ｂと中央部分４４ｂに対向している部位とを伸展状態のおむつ１０から切り取るときに、これらの部分がホットメルト接着剤で接合されていることによって切り取ることが難しい場合には、そのホットメルト接着剤をトルエン溶液で溶解させること ができる。長さＬ１と長さＬ２とは、０．１ｍｍの単位まで正確に測定することが好ましい。また、横方向Ｘの全長を求めるための直線を記入することが難しい場合には、全長のうちの一部分についての長さを測定しておいて、その長さを全長の場合の長さに換算してもよい。
【符号の説明】
【００６１】
１ａ      弾性バンド部
１ｂ      弾性バンド部
１ｃ      弾性バンド部
１０      使い捨ておむつ
１１      前ウエスト域
１２      後ウエスト域
１３      クロッチ域
２０      前ウエストパネル
２１      外面シート
２４      前ウエスト弾性体
２４Ａ    第１補助弾性体
２４Ｂ    第２補助弾性体
２５      ウエスト弾性域
２９      非弾性域
３０      後ウエストパネル
３１      外面シート
３４      後ウエスト弾性体
３４Ａ    第１補助弾性体
３４Ｂ    第２補助弾性体
３５      ウエスト弾性域
３６Ａ    内端部
３６Ｂ    内端部
３９      非弾性域
４０      クロッチパネル
４２Ａ    前端縁
４２Ｂ    後端縁
４４      弾性シート（内側弾性シート）
４４ａ    両側部分
４４ｂ    中央部分
４６ａ    芯材
４６ｄ    前端縁
４６ｅ    後端縁
５５      弾性シート（内側弾性シート）
５５ａ    両側部分
５５ｂ    中央部分
５５ｃ    下方部位
８１ａ    中央変形誘導部（変形誘導部）
８１ｂ    サイド変形誘導部（変形誘導部）
８２ａ    中央変形誘導部（変形誘導部）
８２ｂ    サイド変形誘導部（変形誘導部）
８６ｂ    端部（下端部）
８６ｃ    端部（上端部）
１０１    中央部分
１０２    折り畳み部
１０３    両側に位置する部分（側方部分）
１０４    一部分（内側部位）
Ｄ１      縦中心線から内端部３６Ａまでの寸法
Ｄ２      縦中心線から内端部３６Ｂまでの寸法
Ｐ        縦中心線
Ｑ        横中心線
Ｘ        横方向
Ｙ        上下方向（縦方向）
【要約】
【課題】特定の部位が外側へ突出するように湾曲する使い捨ての体液吸収性着用物品の提供。
【解決手段】プルオンタイプのおむつを一例とする使い捨ての体液吸収性着用物品１０における前後ウエスト域１１，１２のうちの少なくとも一方のウエスト域が肌対向面の一部を形成して横方向Ｘへ延びる弾性バンド部を有する。弾性バンド部は、横方向の中央部分が弾性的に収縮するもので、中央部分の弾性的収縮量は、中央部分の厚さ方向において中央部分に接合することなく対向している部分の横方向における弾性的収縮量よりも大きい。少なくとも一方のウエスト域における体液吸収性の芯材には、弾性バンド部と交差する方向へ延びる変形誘導部が形成されていて、着用物品に突出部１００ａが形成されることを容易にする。
【選択図】図１【図１】
0005946568.tif 000002
【図２】
0005946568.tif 000003
【図３】
0005946568.tif 000004
【図４】
0005946568.tif 000005
【図５】
0005946568.tif 000006
【図６】
0005946568.tif 000007
【図７】
0005946568.tif 000008
【図８】
0005946568.tif 000009
【図９】
0005946568.tif 000010
【図１０】
0005946568.tif 000011
【図１１】
0005946568.tif 000012
【図１２】
0005946568.tif 000013